(57)【要約】      （修正有）【課題】エレベータの運行に関して特別な状況が発生した場合に、通常は困難であるエレベータかご内の移動通信端末と外部との交信を自動的に可能にする。【解決手段】エレベータ内交信制御システム３０は、エレベータ１０の昇降路１１近傍に配置されるアンテナ３８と、特別情報作成部１８から出力されるエレベータ運行に関わる特別情報を検知して、検知された特別情報に基づき、エレベータかご１２内の移動通信端末１６と外部との交信を許可するか否かを判断し、許可するときに特別要求信号をエレベータ用基地局３２に出力する制御装置５０と、制御装置５０に接続され、制御装置５０から特別要求信号を受け取ったときにアンテナ３８と接続し、かご１２内の移動通信端末１６と外部との間の交信を中継するエレベータ用基地局３２とを含む。【選択図】図１
2007008648.tif 000002
【特許請求の範囲】
【請求項１】
エレベータの昇降路近傍に配置されるアンテナと、
エレベータ運行に関わる特別情報を検知して、検知された特別情報に基づき、エレベータかご内の移動通信端末と外部との交信を許可するか否かを判断し、許可するときに特別要求信号をエレベータ用基地局に出力する制御装置と、
制御装置に接続され、制御装置から特別要求信号を受け取ったときにアンテナと接続し、エレベータかご内の移動通信端末と外部との間の交信を中継するエレベータ用基地局と、
を含むことを特徴とするエレベータ内交信制御システム。
【請求項２】
請求項１に記載のエレベータ内交信制御システムにおいて、
制御装置は、
エレベータ用基地局が用いるネットワーク制御プロトコルに従って、エレベータ用基地局が備える制御情報データベースにおけるアンテナ接続有無設定条件を接続側に指定する内容の特別要求信号を出力し、
エレベータ用基地局は、受け取った特別要求信号をネットワーク制御プロトコルに従って解釈し、制御情報データベースにおいてアンテナ接続有無設定条件を検索し、これを接続側に指定する制御を行うことを特徴とするエレベータ内交信制御システム。
【請求項３】
請求項２に記載のエレベータ内交信制御システムにおいて、
エレベータ用基地局は、
アンテナ接続側に指定する制御を行ったときに、接続指定完了信号を制御装置に返信することを特徴とするエレベータ内交信制御システム。
【請求項４】
エレベータの昇降路近傍に配置されるアンテナと、
アンテナに接続されるときにエレベータかご内の移動通信端末と外部との交信を中継するエレベータ用基地局と、
エレベータ用基地局と接続されてエレベータかご内の移動通信端末と外部との交信を制御する制御装置と、
を含むエレベータ内交信制御システムにおいて、
制御装置は、
エレベータ運行に関わる特別情報を検知する検知手段と、
検知された特別情報に基づき、エレベータかご内の移動通信端末と外部との交信を許可するか否かを判断する判断手段と、
交信を許可するときには、エレベータ用基地局が用いるネットワーク制御プロトコルに従って、エレベータ用基地局が備える制御情報データベースにおけるアンテナ接続有無設定条件を接続側に指定する内容の特別要求信号を出力する特別要求出力手段と、
エレベータ用基地局から、要求信号を解釈してアンテナ接続有無設定条件を接続側に指定する制御を完了した旨の返信を受信する受信手段と、
交信を許可する必要がなくなったときに、エレベータ用基地局が用いるネットワーク制御プロトコルに従って、エレベータ用基地局が備える制御情報データベースにおけるアンテナ接続有無設定条件を非接続側に指定する内容の復旧要求信号を出力する復旧要求出力手段と、
を備えることを特徴とするエレベータ内交信制御システム。
【請求項５】
エレベータの昇降路近傍に配置されるアンテナとエレベータ用基地局とを介し、エレベータかご内の移動通信端末と外部との交信を制御するエレベータ内交信制御システムの制御装置において実行されるエレベータ内交信制御プログラムであって、
エレベータ運行に関わる特別情報を検知する処理手順と、
検知された特別情報に基づき、エレベータかご内の移動通信端末と外部との交信を許可するか否かを判断する処理手順と、
交信を許可するときは、エレベータ用基地局が用いるネットワーク制御プロトコルに従って、エレベータ用基地局が備える制御情報データベースにおけるアンテナ接続有無設定条件を接続側に指定する内容の要求信号を出力する処理手順と、
エレベータ用基地局から、要求信号を解釈してアンテナ接続有無設定条件を接続側に指定する制御を完了した旨の返信を受信する処理手順と、
交信を許可する必要がなくなったときに、エレベータ用基地局が用いるネットワーク制御プロトコルに従って、エレベータ用基地局が備える制御情報データベースにおけるアンテナ接続有無設定条件を非接続側に指定する内容の要求信号を出力する処理手順と、
を実行することを特徴とするエレベータ内交信制御プログラム。
【発明の詳細な説明】
【技術分野】
【０００１】
本発明は、エレベータ内交信制御システム及びエレベータ内交信制御プログラムに係り、特に、エレベータかご内の移動通信端末と外部との交信を制御するエレベータ内交信制御システム及びエレベータ内交信制御プログラムに関する。
【背景技術】
【０００２】
エレベータは、建物の中を上下に貫通する昇降路の中をかごが昇降するものであり、かごの中の乗客は、昇降路という閉鎖空間の中の、さらにかごという閉鎖空間の中にいる。したがって、エレベータかご内は、一般的には無線電波の届きにくいことが多く、かご内における携帯電話、ＰＨＳ等の無線交信手段が有効に使えない。
【０００３】
このようなエレベータが、地震等の影響で停止すると、かご内の乗客は孤立した狭い空間に閉じ込められた状態となる。そのような場合に備え、エレベータかご内には外部との連絡のための非常電話等の設備が備えられる。これにより、コールセンタ等と通話等ができ、エレベータの内部状況を伝え、また外部の状況を知ることができる。
【０００４】
例えば、特許文献１にはエレベータかご内携帯電話中継システムが開示され、エレベータへの閉じこめ事故が発生した場合に、かご内の乗客がかごに設けられているインターホンでコールセンタと通話できる他に、外部に公衆回線を介して通話できるシステムが述べられている。ここでは、緊急時でなく通常時にかご内の乗客がその携帯電話を用いて、無制限に無料で外部と交信することを防ぐため、かご内にブルートゥース親局を設けている。すなわち、閉じ込め事故が発生し、インターホンによってコールセンタとの交信が行われ、その交信が終了したことを検知すると、切換手段によってブルートゥース親局と外部公衆回線とが接続される。そこで、かご内乗客は、自分の携帯電話から通話先番号をブルートゥース親局に送信することで、公衆回線網と接続されることができる。このように、閉じ込め事故を確認したときに限って、かご内の乗客がその携帯電話によって外部に交信できることが述べられている。
【０００５】
【特許文献１】特開２００３−２０４３９８号公報
【発明の開示】
【発明が解決しようとする課題】
【０００６】
上記のように、エレベータかご内は、建物の内部において二重に孤立した空間であって電波が届きにくい。これを改善するためには、昇降路内、あるいはかごに近接して無線電話用基地局を設けることや、エレベータかご内との交信の電波強度を強くすることが考えられる。しかし、このようにエレベータかご内を、一般空間と同様な無線交信環境とすることは、自由な通話が可能となって便利である反面、このような狭い空間における通話には周囲の者に対する配慮が必要である。
【０００７】
特許文献１の方法は、ブルートゥース親局をエレベータかご内に設けるものであるが、一旦コールセンタを呼び出してからでないと外部と交信ができず、面倒な手順を必要としている。
【０００８】
本発明の目的は、特別な状況が発生した場合に、エレベータかご内の移動通信端末と外部との交信を自動的に可能にするエレベータ内交信制御システム及びエレベータ内交信制御プログラムを提供することである。
【課題を解決するための手段】
【０００９】
本発明に係るエレベータ内交信制御システムは、エレベータの昇降路近傍に配置されるアンテナと、エレベータ運行に関わる特別情報を検知して、検知された特別情報に基づき、エレベータかご内の移動通信端末と外部との交信を許可するか否かを判断し、許可するときに特別要求信号をエレベータ用基地局に出力する制御装置と、制御装置に接続され、制御装置から特別要求信号を受け取ったときにアンテナと接続し、エレベータかご内の移動通信端末と外部との間の交信を中継するエレベータ用基地局と、を含むことを特徴とする。
【００１０】
また、制御装置は、エレベータ用基地局が用いるネットワーク制御プロトコルに従って、エレベータ用基地局が備える制御情報データベースにおけるアンテナ接続有無設定条件を接続側に指定する内容の特別要求信号を出力し、エレベータ用基地局は、受け取った特別要求信号をネットワーク制御プロトコルに従って解釈し、制御情報データベースにおいてアンテナ接続有無設定条件を検索し、これを接続側に指定する制御を行うことが好ましい。
【００１１】
また、エレベータ用基地局は、アンテナ接続側に指定する制御を行ったときに、接続指定完了信号を制御装置に返信することが好ましい。
【００１２】
また、本発明に係るエレベータ内交信制御システムは、エレベータの昇降路近傍に配置されるアンテナと、アンテナに接続されるときにエレベータかご内の移動通信端末と外部との交信を中継するエレベータ用基地局と、エレベータ用基地局と接続されてエレベータかご内の移動通信端末と外部との交信を制御する制御装置と、を含むエレベータ内交信制御システムにおいて、制御装置は、エレベータ運行に関わる特別情報を検知する検知手段と、検知された特別情報に基づき、エレベータかご内の移動通信端末と外部との交信を許可するか否かを判断する判断手段と、交信を許可するときには、エレベータ用基地局が用いるネットワーク制御プロトコルに従って、エレベータ用基地局が備える制御情報データベースにおけるアンテナ接続有無設定条件を接続側に指定する内容の特別要求信号を出力する特別要求出力手段と、エレベータ用基地局から、要求信号を解釈してアンテナ接続有無設定条件を接続側に指定する制御を完了した旨の返信を受信する受信手段と、交信を許可する必要がなくなったときに、エレベータ用基地局が用いるネットワーク制御プロトコルに従って、エレベータ用基地局が備える制御情報データベースにおけるアンテナ接続有無設定条件を非接続側に指定する内容の復旧要求信号を出力する復旧要求出力手段と、を備えることを特徴とする。
【００１３】
また、本発明に係るエレベータ内交信制御プログラムは、エレベータの昇降路近傍に配置されるアンテナとエレベータ用基地局とを介し、エレベータかご内の移動通信端末と外部との交信を制御するエレベータ内交信制御システムの制御装置において実行されるエレベータ内交信制御プログラムであって、エレベータ運行に関わる特別情報を検知する処理手順と、検知された特別情報に基づき、エレベータかご内の移動通信端末と外部との交信を許可するか否かを判断する処理手順と、交信を許可するときは、エレベータ用基地局が用いるネットワーク制御プロトコルに従って、エレベータ用基地局が備える制御情報データベースにおけるアンテナ接続有無設定条件を接続側に指定する内容の要求信号を出力する処理手順と、エレベータ用基地局から、要求信号を解釈してアンテナ接続有無設定条件を接続側に指定する制御を完了した旨の返信を受信する処理手順と、交信を許可する必要がなくなったときに、エレベータ用基地局が用いるネットワーク制御プロトコルに従って、エレベータ用基地局が備える制御情報データベースにおけるアンテナ接続有無設定条件を非接続側に指定する内容の要求信号を出力する処理手順と、を実行することを特徴とする。
【発明の効果】
【００１４】
上記構成により、制御装置は、検知したエレベータ運行に関わる特別情報に基づいて、エレベータかご内の移動通信端末と外部との交信を許可するか否か判断し、エレベータ用基地局に特別要求信号を出力する。これを受信したエレベータ用基地局はアンテナと接続して、エレベータかご内の移動通信端末と外部との交信を中継する。したがって、特別な状況が発生したかどうかを制御装置が判断し、これによって、ユーザの特別な操作を要せずに、エレベータかご内の移動通信端末と外部との交信が自動的に可能となる。
【００１５】
また、特別要求信号は、エレベータ用基地局が用いるネットワーク制御プロトコルに従って、エレベータ用基地局が備える制御情報データベースにおけるアンテナ接続有無設定条件を接続側に指定する内容であり、エレベータ用基地局は、受け取った特別要求信号をネットワーク制御プロトコルに従って解釈し、制御情報データベースにおいてアンテナ接続有無設定条件を検索し、これを接続側に指定する制御を行う。したがって、既存のネットワーク制御プロトコルに従った処理を行うので、エレベータ用基地局側で特別な仕様変更等を要しない。
【００１６】
また、エレベータ用基地局は接続指定完了信号を返信するので、制御装置側は、要求が満たされたことを容易に確認できる。
【００１７】
また、エレベータ用基地局はアンテナに接続されるときにエレベータかご内の移動通信端末と外部との交信を中継するので、特別要求信号を受け取るまで交信は中継しない。また、制御装置の判断により交信を許可する必要がなくなったときには、アンテナ接続有無設定条件を非接続側に指定する内容の復旧要求信号を出力するので、特別要求信号の有効な期間に限定して、エレベータかご内の移動通信端末と外部との交信を自動的に可能とすることができる。
【００１８】
上記のように、本発明に係るエレベータ内交信制御システム及びエレベータ内交信制御プログラムによれば、特別な状況が発生した場合に、エレベータかご内の移動通信端末と外部との交信を自動的に可能にすることができる。
【発明を実施するための最良の形態】
【００１９】
以下に図面を用いて本発明に係る実施の形態につき、詳細に説明する。以下において、エレベータ用基地局と、これを特別情報の内容に従って制御する制御装置と、特別情報を作成する特別情報作成部とを、それぞれ独立のものとして説明するが、これらの機能を適当に統合してもよい。例えば制御装置と特別情報作成部とを統合して１つの装置にまとめてもよく、また、エレベータ用基地局と制御装置を１つの装置としてもよく、あるいは３つの機能を１つの装置として集積化してもよい。
【００２０】
また、以下ではエレベータかご内の移動通信端末を携帯電話とし、エレベータ用基地局を携帯電話基地局として説明するが、ネットワーク制御プロトコルに従い、また基地局がアンテナとの接続有無を設定できる制御情報データベースを有するものであれば、それ以外の移動通信端末と基地局との組み合わせでもよい。たとえばＰＨＳ移動通信端末とその基地局でもよい。
【００２１】
また、特別情報として、主に地震に関する情報を説明するが、地震以外の災害や事故に関する情報であってもよい。例えば、近隣火災、エレベータ運行装置の故障等の情報であってもよい。
【００２２】
図１は、エレベータ内交信制御システム３０の構成を示す図である。図１には、全部または一部がエレベータ内交信制御システム３０の構成要素でないものとして、エレベータ１０、およびエレベータの運行に関わる特別情報を作成する特別情報作成部１８も合わせて図示されている。エレベータ１０には、そのかご１２内における乗客１４の移動通信端末１６である携帯電話も図示されている。
【００２３】
エレベータ内交信制御システム３０は、エレベータ用基地局３２と、エレベータ１０の昇降路１１内の適当なところに設けられるアンテナ３８と、エレベータ用基地局３２と特別情報作成部１８とに接続される制御装置５０と、を含んで構成される。エレベータ内交信制御システム３０は、エレベータ１０のかご１２内における乗客１４の移動通信端末１６と、外部との交信を制御する機能を有し、特に、通常時においてはその交信を中継せず、特別な場合にその交信をアンテナ３８及びエレベータ用基地局３２を経由して中継する機能を有する。
【００２４】
エレベータ１０は、図示されていない建物の複数階にまたがって上下に貫通する昇降路１１の内部を、乗客１４等を乗せるかご１２が昇降する設備で、全体の運行は図示されていない運行設備によって行われる。通常、昇降路１１は、厚いコンクリート壁等の堅牢な構造で建物内に作りこまれており、外部との間で無線電波交信が一般の開放空間に比べ厳しい条件となっている。また、かご１２は、一般的には金属性の筐体構造であり、かご１２の内部はいわば電波遮蔽空間となっていることが多い。このように、かご１２内の乗客１４が携帯電話等の移動通信端末１６を有していても、通常のエレベータ１０では実際上外部との交信が困難であることが多い。
【００２５】
特別情報作成部１８は、エレベータ１０の運行に関わる情報を作成する装置である。エレベータ１０の運行に関わる情報とは、エレベータ１０の運行条件を変更するかどうかに関わる情報で、代表的には、大地震の発生情報である。その情報作成とは、第１は、エレベータ１０の図示されていない運行制御部に発行するための情報である。例えば、地震の大きさを予め定めた基準と比較して、運行制御部に対する運行停止信号を生成して出力する。情報作成の第２は、エレベータ１０の運行責任者に対する情報作成である。上記の地震の例では、その地震に関して取得した情報の内容をデータとして作成し、専用通信回線あるいはネットワーク回線等を経由し、運行責任者に送信する。情報作成の第３が、後述する制御装置５０に対する特別情報作成である。
【００２６】
特別情報作成部１８には、複数の情報ルートが接続される。１つのルートは、エレベータ１０に設けられる地震感知装置２０からの信号線である。図１では、地震感知装置２０はかご１２に取り付けられている。他のルートは、エレベータ１０以外からの情報ルート２２で、その中には、ビル全体の保安を監視する監視センタからの情報を伝達するもの、公共放送等の異常情報を伝達するものが含まれる。
【００２７】
このように、特別情報作成部１８は、複数の情報ルート、具体的には複数のデータ通信線からもたらされる情報データを予め定まった方式に従って整理し、制御装置５０に対する特別情報を作成し、出力する機能を有する。特別情報は制御装置５０がデータ処理しやすい形式が好ましい。制御装置５０は後述のように、かご１２内の移動通信端末１６と外部との交信の許可の必要性を判断するので、特別情報は、エレベータ１０の運行停止の有無、停止があるときにその停止期間の予想長さ等に関連付けるものがより好ましい。
【００２８】
一例をあげると、地震に関する特別情報を５段階データとし、「１」は通常運行のままで問題のない地震情報、「２」は高速運行部分があるときにそれを取りやめ、急行モードがあるときにこれを各階停止モードに切り替える程度の地震情報、「３」は、運行を最寄り階まで継続後そこで停止させる程度の地震情報、「４」は、その場で運行を停止するが、その停止時間は長くても数分程度の大きいが遠い地震の情報、「５」は、その場で運行を停止するが、その停止時間は予測できない程度の大きな地震の情報等とすることができる。この例の場合には、特別情報は「１」から「５」の５種類に区別されたデータとして制御装置５０に出力される。
【００２９】
エレベータ用基地局３２は、制御装置５０に接続され、その制御を受けることを除けば、一般的な携帯電話の中継機能を有する基地局である。ここで一般的な携帯電話の中継機能とは、電話中継機能と、データ通信中継機能である。前者は、電話制御信号に従って、公衆回線ネットワークに接続された端末間の音声電話の交信を中継する機能で、後者はデータに付されたアドレスに従ってインターネット等のネットワークに接続された端末間のデータ交信を中継する機能である。図１では、これら性質の異なる複数のネットワークをまとめてネットワーク４０で示してある。音声電話の情報も結局はデータに変換されて伝送されるので、エレベータ用基地局３２の機能は、かご１２内の移動通信端末１６と外部のネットワーク４０との間における広義のデータ伝送中継である。
【００３０】
エレベータ用基地局３２は、アンテナ３８に接続されるときは、かご内移動通信端末１６と外部の電話又は端末との間を、ネットワーク制御プロトコルに従ってデータ伝送中継を処理する。エレベータ用基地局３２は、データ伝送中継処理のための制御情報データベース（Ｍａｎａｇｅｍｅｎｔ  Ｉｎｆｏｒｍａｔｉｏｎ  Ｂａｓｅ：ＭＩＢ）を備える。ＭＩＢは、制御情報の解読データのデータベースで、ここにエレベータ用基地局３２とアンテナ３８との間の接続を規定するアンテナ接続有無設定条件が格納される。例えば、ＭＩＢのアンテナ接続有無設定条件のアドレスを検索すると、そのアドレスにおけるデータの内容が「０」のときはエレベータ用基地局３２とアンテナ３８との間が接続されず、「１」のときはエレベータ用基地局３２とアンテナ３８との間が接続される。
【００３１】
アンテナ３８は、上記のようにエレベータ１０の昇降路１１内の適当なところに設けられる送受信アンテナである。図１においては、アンテナ３８は、昇降路１１の最上部天井に取り付けられる。アンテナ３８の設置位置はこれ以外であっても、かご１２を通してその内部の移動通信端末１６と十分な交信が可能な位置であればよい。例えば階数の少ないエレベータ１０であれば、昇降路１１の適当な１ケ所でよく、最上部天井の他、最下部床、あるいは昇降路１１の中間の高さに設けてもよい。階数が多くて１台のアンテナ３８のみではかご１２の昇降する全階数に渡って交信をカバーできないときは、複数台のアンテナ３８を設ける。
【００３２】
特別接続線３６は、エレベータ用基地局３２とアンテナ３８とを接続するデータ伝送線である。エレベータ用基地局３２とアンテナ３８との間は、通常は接続されず、特別の場合に接続されるので、図１において特別接続線３６は破線で示してある。
【００３３】
制御装置５０は、特別情報作成部１８と、エレベータ用基地局３２に接続され、特別情報作成部１８からの特別情報に基づき、エレベータ用基地局３２とデータの交信を行って、エレベータ用基地局３２とアンテナ３８との間の接続状態を変更させる機能を有する。エレベータ用基地局３２におけるアンテナ接続有無設定条件は上記のようにＭＩＢ３４に格納されているので、制御装置５０とエレベータ用基地局３２との間のデータ交信は、エレベータ用基地局３２がその内容を解釈できるように、そのネットワーク制御プロトコルに従って行われる。
【００３４】
ネットワーク制御プロトコルとしては、例えばＳＮＭＰ（Ｓｉｎｐｌｅ  Ｎｅｔｗｏｒｋ  Ｍａｎａｇｅｍｅｎｔ  Ｐｒｏｔｏｃｏｌ）である。この場合には、制御装置５０は、ＳＮＭＰトラップにアンテナ接続有無設定条件を含ませて、エレベータ用基地局３２に送信すると、エレベータ用基地局３２では受け取ったＳＮＭＰトラップを解釈し、ＭＩＢ３４を検索し、アンテナ接続有無設定条件の設定を変更することができる。以下ではネットワーク制御プロトコルとしてＳＮＭＰを用いるものとして説明する。
【００３５】
より具体的には、制御装置５０は、特別情報作成部１８から出力される特別情報を検知する検知モジュール５２と、検知された特別情報に基づき、エレベータかご内の移動通信端末と外部との交信を許可するか否かを判断する判断モジュール５４と、交信を許可するときは、ＳＮＭＰに従って、エレベータ用基地局３２が備えるＭＩＢ３４におけるアンテナ接続有無設定条件を接続側に指定する内容の特別要求信号を出力する特別要求出力モジュール５６と、エレベータ用基地局３２から、要求信号を解釈してアンテナ接続有無設定条件を接続側に指定する制御を完了した旨の返信を受信する受信モジュール５８と、交信を許可する必要がなくなったときに、ＳＮＭＰに従って、ＭＩＢ３４におけるアンテナ接続有無設定条件を非接続側に指定する内容の復旧要求信号を出力する復旧要求出力モジュール６０とを含んで構成される。
【００３６】
これらの機能はソフトウェアで実現でき、具体的には対応するエレベータ内交信制御プログラムを実行することで実現できる。また、これらの機能の一部をハードウェアで構成してもよい。
【００３７】
上記構成のエレベータ内交信制御システム３０の作用を、図２のフローチャートを用いて説明する。図２のフローチャートは、エレベータ内交信制御システム３０における制御装置５０が処理するエレベータ内交信制御の手順を示すもので、エレベータ内交信制御プログラムの各処理手順を表している。
【００３８】
エレベータ内交信制御システム３０において、初期化の時点で、エレベータ用基地局３２とアンテナ３８との間の接続がされていない状態に設定される。その初期設定は、制御装置５０から初期化信号がエレベータ用基地局３２に出力されることで行われる。具体的には、制御装置５０から、アンテナ接続有無設定条件を「アンテナ接続無し」とする内容のＳＮＭＰトラップをエレベータ用基地局３２に対して送信し、エレベータ用基地局３２はこの内容を解釈してＭＩＢ３４を検索し、アンテナ接続有無設定条件を「アンテナ接続無し」に設定する。
【００３９】
通常状態、例えば、地震等がない平穏な状態では、エレベータ１０は正常に通常の運行を行っており、特別情報作成部１８も特別な情報を作成していない。したがって、制御装置５０もエレベータ用基地局３２も初期設定のままで、アンテナ３８とエレベータ用基地局３２とは接続されていず、特別接続線３６はデータ伝送を行っていない。したがって、通常状態では、かご１２内の移動通信端末１６は、昇降路１１とかご１２との二重の閉鎖空間のため、外部ネットワーク４０と交信がほとんど不可能な状態におかれている。
【００４０】
制御装置５０の検知モジュール５２は常時、特別情報作成部１８からのデータ入力を監視している。そして、データ入力があれば、特別情報として検知する（Ｓ１０）。そしてそのデータ内容を予め定めておいた基準と比較し、かご１２内の移動通信端末１６と外部ネットワーク４０に接続された電話、または端末との交信を許可するか否かを判断する（Ｓ１２）。この判断処理手順は、判断モジュール５４の機能により行われる。具体的な基準の一例を上げると、特別情報の内容を上記の例で「１」から「５」の５種類のデータとして、「１」から「３」は交信を許可せず、「４」と「５」について交信を許可するものとすることができる。したがって、特別情報作成部１８からの出力と、予め定めいておいて、メモリ等に記憶させておいた判断基準との比較によって、自動的に、Ｓ１２の判断が行われる。
【００４１】
交信を許可すると判断する場合はＳ１４に進み、交信を許可すると判断しないときはＳ１０に戻って、特別情報の検知を繰り返す。Ｓ１４においては、交信許可のための特別要求信号がエレベータ用基地局３２に対し出力される。この処理手順は特別要求出力モジュール５６の機能により行われる。具体的には、ＳＮＭＰに従ったデータ、すなわちＳＮＭＰトラップに、ＭＩＢ３４におけるアンテナ接続有無設定条件を接続側に指定する内容のデータ「１」を含ませて出力される。出力されるＳＮＭＰトラップには、例えばＭＩＢ３４におけるアンテナ接続有無設定条件のアドレスデータと、そのアドレスにおける設定データ「１」が含まれる。
【００４２】
特別要求出力であるＳＮＭＰトラップは、エレベータ用基地局３２に送信され、エレベータ用基地局３２のＳＮＭＰ解釈機能によって、ＭＩＢ３４のアンテナ接続有無設定条件を接続側に指定する内容であると解釈される。具体的にはＭＩＢ３４の対応するアドレスが検索され、そのアドレスに対応するアンテナ接続有無設定条件データが「１」に変更設定される。これにより、エレベータ用基地局３２とアンテナ３８との間が特別接続線３６によって接続される。このアンテナ接続有無設定条件データの「１」への変更設定処理が完了すると、エレベータ用基地局３２はその旨を制御装置５０に返信するので、制御装置５０は、その処理完了返信を受信する（Ｓ１６）。この処理手順は受信モジュール５８の機能によって行われる。
【００４３】
処理完了受信は、エレベータ用基地局３２からの積極的返信信号またはデータを検出する他に、Ｓ１４の特別要求出力を送信した後、制御装置５０が定期的にエレベータ用基地局３２にアクセスし、そのアンテナ接続有無設定条件のデータを読みに行くことでもよい。この場合は、ＳＮＭＰに従って、エレベータ用基地局３２におけるＭＩＢ３４のアンテナ接続設定条件に対応するアドレスにアクセスし、そのアドレスに対応するデータが「接続無し」の「０」から「接続有り」の「１」に変更されたことを確認することでＳ１６と同等の処理が行われる。
【００４４】
次に、制御装置５０は、交信許可を解除するか否かを判断する（Ｓ２０）。この判断は、特別情報作成部１８から取得した特別情報の内容に基づき、予め定めた基準に従って行われる。例えば、上記の例で、特別情報の出力が「４」の場合には、数分間の運行停止であるので、予め１０分経過後に交信許可を解除すると定めておくことができる。上記の例で特別情報の出力が「５」の場合には、運行停止の時間が予測できないので、改めて特別情報作成部１８からの出力を監視し、その出力が「３」以下となったときに交信許可を解除すると定めておくことができる。
【００４５】
交信許可を解除すると判断されるとＳ２２に進み、交信許可を解除すると判断されないときは、Ｓ２０の判断を繰り返す。Ｓ２２においては、復旧要求が出力される。復旧要求とは、アンテナ３８とエレベータ用基地局３２との間の接続状態を初期状態である非接続状態に復旧することを要求することである。この処理手順は復旧要求出力モジュール６０の機能によって行われる。この処理手順は、Ｓ１４と類似で、アンテナ接続有無設定条件が非接続である「０」であることが相違する。すなわち、ＳＮＭＰトラップに、ＭＩＢ３４におけるアンテナ接続有無設定条件を非接続側に指定する内容のデータ「０」を含ませて出力される。出力されるＳＮＭＰトラップには、ＭＩＢ３４におけるアンテナ接続有無設定条件のアドレスデータと、そのアドレスにおける設定データ「０」が含まれる。
【００４６】
復旧要求出力であるＳＮＭＰトラップは、エレベータ用基地局３２に送信され、エレベータ用基地局３２のＳＮＭＰ解釈機能によって、ＭＩＢ３４のアンテナ接続有無設定条件を非接続側に指定する内容であると解釈される。具体的にはＭＩＢ３４の対応するアドレスが検索され、そのアドレスに対応するアンテナ接続有無設定条件データが「０」に変更設定される。これにより、エレベータ用基地局３２とアンテナ３８との間が非接続状態に開放される。このアンテナ接続有無設定条件データの「０」への変更設定処理が完了すると、エレベータ用基地局３２はその旨を制御装置５０に返信する。
【００４７】
これで初期状態に復帰するので、１つの特別情報に基づく一連の処理シーケンスが終了する。そして、制御装置５０は常時、特別情報の監視を続け、次に特別情報を検知すると、改めて、上記Ｓ１０以下の処理手順が実行される。
【００４８】
このようにして、制御装置５０が特別情報作成部１８の出力するデータに基づいて自動的に特別要求出力を送信し、これにより自動的にエレベータ用基地局３２とアンテナ３８との間が特別接続線３６によって接続される。この自動接続により、かご１２内の移動通信端末１６である携帯電話は、アンテナ３８−特別接続線３６−エレベータ用基地局３２を介し、外部と自由な交信が可能となり、地震の際の外部への連絡、外部からの情報取得をすることができる。
【図面の簡単な説明】
【００４９】
【図１】本発明に係る実施の形態において、エレベータ内交信制御システムの構成を示す図である。
【図２】本発明に係る実施の形態において、エレベータ内交信制御の手順を示すフローチャートである。
【符号の説明】
【００５０】
１０  エレベータ、１１  昇降路、１２  かご、１４  乗客、１６  移動通信端末、１８  特別情報作成部、２０  地震感知装置、２２  情報ルート、３０  エレベータ内交信制御システム、３２  エレベータ用基地局、３４  ＭＩＢ、３６  特別接続線、３８  アンテナ、４０  ネットワーク、５０  制御装置、５２  検知モジュール、５４  判断モジュール、５６  特別要求出力モジュール、５８  受信モジュール、６０  復旧要求出力モジュール。
【図１】
2007008648.tif 000003
【図２】
2007008648.tif 000004
【手続補正書】
【提出日】平成17年8月29日(2005.8.29)
【手続補正１】
【補正対象書類名】明細書
【補正対象項目名】００３４
【補正方法】変更
【補正の内容】
【００３４】
ネットワーク制御プロトコルとしては、例えばＳＮＭＰ（Ｓｉｍｐｌｅ  Ｎｅｔｗｏｒｋ  Ｍａｎａｇｅｍｅｎｔ  Ｐｒｏｔｏｃｏｌ）である。この場合には、制御装置５０は、ＳＮＭＰトラップにアンテナ接続有無設定条件を含ませて、エレベータ用基地局３２に送信すると、エレベータ用基地局３２では受け取ったＳＮＭＰトラップを解釈し、ＭＩＢ３４を検索し、アンテナ接続有無設定条件の設定を変更することができる。以下ではネットワーク制御プロトコルとしてＳＮＭＰを用いるものとして説明する。